(57)【要約】【課題】荷崩れを防止し、搬送を容易化する。【解決手段】段ボール製のデッキボード１の下面に桁部材２、2a…を複数配設すると共に、該桁部材２、2a…の間にフォーク差込用の空隙部３、3a…を設けてパレット本体４と成し、該パレット本体４上に段ボール製の枠体８を固設し、該枠体８の内周に段ボール製の側壁９を着脱自在に立設することによって、枠体８で側壁９を支持し、該側壁９で積荷を囲繞し、積荷の傾きを防止する。【選択図】図１
2012035865.tif 000002
【特許請求の範囲】
【請求項１】
段ボール製のデッキボードの下面に桁部材を複数配設すると共に、該桁部材の間にフォーク差込用の空隙部を設けてパレット本体と成し、該パレット本体上に段ボール製の枠体を固設し、該枠体の内周に段ボール製の側壁を着脱自在に立設したことを特徴とするパレット。
【請求項２】
段ボール製の天板周囲に段ボール製の垂下部を設けて蓋体と成し、該蓋体を側壁上端に被嵌したことを特徴とする請求項１記載のパレット。
【請求項３】
側壁を複数のモジュールに分解して、枠体内に収納可能としたことを特徴とする請求項１又は２記載のパレット。
【請求項４】
蓋体を枠体にも被嵌可能としたことを特徴とする請求項２又は３記載のパレット。
【請求項５】
デッキボードの下面にして桁部材の間に段ボール製の補強パッドを積層付設したことを特徴とする請求項１、２、３又は４記載のパレット。
【請求項６】
段ボール製の底ボードの上面に桁部材の下面を接着したことを特徴とする請求項１、２、３、４又は５記載のパレット。
【請求項７】
底ボードの上面にして桁部材の間に段ボール製の補強パッドを積層付設したことを特徴とする請求項６記載のパレット。
【発明の詳細な説明】
【技術分野】
【０００１】
本発明は、段ボールを主材としたパレットに関する。
【背景技術】
【０００２】
従来より、荷役用パレットには、木製、金属製、プラスチック製、紙製等のものが見受けられるが、補修が容易、コストが低い、荷が滑り難い等の理由で木製のパレットが主流であった。
しかし、木製のパレットは、輸出の際、害虫駆除の燻蒸処理が義務付けられる場合があり、かかる問題点を回避すべく、より簡便に取り扱うことが出来て、より安価で、更に繰り返し利用が可能な程度の充分な強度を有する段ボール製のパレットが注目される様になった。
この様な段ボール製のパレットとして、例えば、
（１）  段ボールを多層にしたコアーを設けると共に、該コアーの長手方向に沿う周面を      段ボール板で被包し、間隔をおいて並列した被包コアーの上面或いは上下両面に段      ボール製台シートを取り付けて成る段ボールパレット、
（２）  被包コアーの上面に取り付ける台シートを複数枚とし、夫々の台シート内のフル      ート芯が上下において直角に配置するよう台シートを重ねた上記（１）の段ボール      製パレット（下記特許文献１を参照）、が知られている。
この段ボール製パレットは、桁部材（上記被包コアー）及びデッキボード（上記台シート）を堅牢化し、耐久性の向上を図る様にしたものである。
【先行技術文献】
【特許文献】
【０００３】
【特許文献１】実開平５−３４１３３号公報（請求項１及び２、図１〜５）
【発明の概要】
【発明が解決しようとする課題】
【０００４】
ところが、一般にパレットは、繰り返し使用されるものであるため、上記特許文献１のものに限らず、幾ら桁部材及びデッキボードを堅牢化したところで、繰り返し使用により次第に段ボールが疲労し、積荷の荷重によりデッキボードが幾分撓んで、荷が傾き、搬送が困難となったり、荷崩れが生じる危険性が高まる等の問題があった。
【課題を解決するための手段】
【０００５】
本発明は、段ボール製のデッキボードの下面に桁部材を複数配設すると共に、該桁部材の間にフォーク差込用の空隙部を設けてパレット本体と成し、該パレット本体上に段ボール製の枠体を固設し、該枠体の内周に段ボール製の側壁を着脱自在に立設することによって、枠体で側壁を支持し、該側壁で積荷を囲繞し、積荷の傾きを防止する様にして、上記課題を解決する。
【発明の効果】
【０００６】
要するに本発明は、段ボール製のデッキボードの下面に桁部材を複数配設すると共に、該桁部材の間にフォーク差込用の空隙部を設けてパレット本体と成し、該パレット本体上              
の周囲に段ボール製の側壁を立設したので、側壁で積荷を囲繞して、積荷が傾くのを防ぐことにより、パレットの搬送を容易化でき、また荷崩れを回避し、積荷の損傷や事故発生を防止することが出来る。
又、側壁はパレット本体上に固設した枠体内周に設けたので、枠体で側壁を支持させることにより、充分な強度が確保できて、積荷を確実に支持することが出来る。
更には、側壁を着脱自在としたので、側壁を取外した状態で枠体内に荷を積載し、その後側壁を装着することにより、側壁が荷の積み込み作業の邪魔にならず、また側壁を取外して荷下ろしをすれば良く、作業を円滑に進めることが出来る。
【０００７】
段ボール製の天板周囲に段ボール製の垂下部を設けて蓋体と成し、該蓋体を側壁上端に被嵌したので、蓋体で側壁上端を結束することにより、側壁がより堅牢となり、積荷をより確実に支持することが出来る。
【０００８】
側壁を複数のモジュールに分解して、枠体内に収納可能としたので、積荷を下ろした後にパレットをコンパクトにまとめて、荷の積み込み作業現場に返送でき、パレットの繰り返し利用が容易である。
【０００９】
蓋体を枠体にも被嵌可能としたので、側壁モジュールを収納した枠体に蓋体を冠着することにより、枠体内からのモジュールの逸出を回避し、パレット返送途中にモジュールが紛失してしまうことを防止することが出来、またコンパクトにまとめたパレットを積み上げて、一度に数多くのパレットを返送できることから、使い勝手が頗る良い。
【００１０】
デッキボードの下面にして桁部材の間に段ボール製の補強パッドを積層付設したので、荷積載時のデッキボードの撓み量が少なく、積荷の安定性を良好に保つことが出来、より簡便且つ安全にパレット搬送をすることが出来る。
【００１１】
段ボール製の底ボードの上面に桁部材の下面を接着したので、桁部材が下端側でも連結され、安定性が増し安全性を更に高めることが出来る。
【００１２】
底ボードの上面にして桁部材の間に段ボール製の補強パッドを積層付設したので、全体の強度を大幅に向上させることが出来て、安定性を一層高く向上させることが出来る等その実用的効果甚だ大である。
【図面の簡単な説明】
【００１３】
【図１】本発明に係るパレットの概略斜視図である。
【図２】図１のパレットの概略分解図である。
【図３】図１のパレットの側壁を枠内に収納した状態の概略斜視図である。
【図４】図３のパレットの概略分解図である。
【発明を実施するための形態】
【００１４】
以下、本発明のパレットにつき、実施例を示し、詳細に説明する。
本発明のパレットは、図１〜４に示す様に、段ボール製のデッキボード１の下面に桁部材２、2a…を複数配設すると共に、該桁部材２、2a…の間にフォーク差込用の空隙部３、3a…を設けてパレット本体４を形成し、前記デッキボード１の下面にして桁部材２、2a…の間に段ボール製の補強パッド５を積層付設している。
又、段ボール製の底ボード６の上面に桁部材２、2a…の下面を接着し、底ボード６の上面にして桁部材２、2a…の間に段ボール製の補強パッド７を積層付設している。
【００１５】
パレット本体４上（デッキボード１の上面）には、段ボール製の枠体８を固設し、該枠体８の内周に段ボール製の側壁９を着脱自在に立設し、該側壁９の上端に蓋体10を被嵌している。
【００１６】
蓋体10は、段ボール製の天板11の周囲に段ボール製の垂下部12を設けており、天板11の縦横の寸法を適宜設定することにより、図１及び３に示す様に、蓋体10を側壁９から取り外して、枠体８にも被嵌可能としている。
【００１７】
デッキボード１は、１枚の段ボールシートを適宜寸法に裁断して形成すれば良く、また裁断した段ボールシートを複数枚積層してデッキボード１としても良い。
尚、１枚の段ボールシートによりデッキボード１を形成する場合は、強度確保の観点から、複両面段ボールシートや複々両面段ボールシートを用いるのが良く、また段ボールシートを複数枚積層する場合は、両面段ボールシートでも良いが、各層の段ボールシートの中芯のフルート向きを相違させて、上下層のフルート配向が互いに直交する様にするのが良い。
【００１８】
桁部材２、2a…は、適宜寸法に裁断した段ボールシートを複数枚積層して形成したり、この積層体の周囲に他の段ボールシートを巻着して桁部材としても良く、また直方体形状の発泡スチロールの周囲に段ボールシートを巻着して桁部材としても良い。
尚、段ボールシートを複数枚積層する場合は、段ボールシートの幅方向を桁部材２、2a…の上下方向、段ボールシートの厚さ方向を桁部材２、2a…の左右方向として、実用に耐え得る強度を確保する。
【００１９】
枠体８は、段ボールシートにより枡状に形成され、側壁９は、図２に示す様に、複数のモジュール13、13ａ…から組立てられ、各モジュール13、13ａ…を適宜寸法に設定し、また屈曲可能とすることにより、図４に示す様に、側壁９から分解したモジュール13、13ａ…を枠体８内に収納可能としている。
【００２０】
本発明のパレットは、使用時には、蓋体10及び側壁９を取り外した状態（図２中、最下段に示す状態）にて、枠体８内に荷を積載し、その後側壁９及び蓋体10を装着して、図１に示す状態にて搬送され、荷下ろしの時は、蓋体10及び側壁９を取り外し、積荷を下ろしした後、図４に示す様に、枠体８内に側壁９を分解したモジュール13、13ａを収納し、かかる枠体８に蓋体10を被嵌し、図３に示す様に、パレット全体をコンパクトにまとめて、荷積載の現場に返送される。
【符号の説明】
【００２１】
１          デッキボード
２、2a…    桁部材
３、3a…    空隙部
４          パレット本体
５          補強パッド
６          底ボード
７          補強パッド
８          枠体
９          側壁
10          蓋体
11          天板
12          垂下部
13、13ａ…  モジュール
【図１】
2012035865.tif 000003
【図２】
2012035865.tif 000004
【図３】
2012035865.tif 000005
【図４】
2012035865.tif 000006